(57)【特許請求の範囲】
【請求項１】
時刻情報を含む電波信号を受信して時針及び分針により時刻を表示する車載用アナログ電波時計において、
前記分針の回転に伴って回転し、表面の原点位置に対応する部分を境として一定領域に反射部が設けられた位置検出板と、
該位置検出板の反射部の検出及び非検出に応じた信号を出力するセンサと、
前記分針の回転数を記憶する記憶手段と、
該記憶手段が記憶する回転数から前記時針を原点位置に移動させるために必要な前記分針の回転数を算出する分針回転算出手段と、
前記センサが反射部を検出又は非検出したときの信号に応じて前記分針回転算出手段が算出した回転数だけ前記分針を早送りする早送り駆動手段と、
前記センサが反射部の検出及び非検出による信号の一定のパターンを検出すると１回転として前記記憶手段に書き込む回転書き込み手段と、
前記センサが反射部を検出又は非検出したときの信号により分針が１２回転したことを検出すると前記記憶手段をクリアする回転クリア手段と、
を有することを特徴とする車載用アナログ電波時計の指針原点検出装置。
【請求項２】
前記記憶手段は、書き込んだ情報を書き換えることが可能なＲＯＭからなることを特徴とする請求項１記載の車載用アナログ電波時計の指針原点検出装置。
【請求項３】
時刻情報を含む電波信号を受信して時針及び分針により時刻を表示する車載用アナログ電波時計において、
前記分針の回転数を記憶する記憶手段から記憶データＤを読み取り、
読み取った記憶データＤに対してＤ−１２＝Ｘの演算を行い、
前記分針を早送り駆動し、
前記分針の回転に伴って回転し且つ原点位置に対応する部分を境として一定領域に反射部が設けられた位置検出板における反射部をセンサが検出又は非検出するとその数Ｔに対してＴ＋Ｘ＝０を求め、Ｔ＋Ｘ＝０となるまで早送りし、
前記センサからの信号が反射板の検出及び非検出による一定のパターンになると１回転として分針の回転数を前記記憶手段に書き込み、
前記センサが反射部の検出又は非検出を示す信号を１２回出力したことを判断し、
前記記憶手段の記憶データをクリアする
ことを特徴とする車載用アナログ電波時計の指針原点検出方法。
【発明の詳細な説明】
【０００１】
【発明の属する技術分野】
本発明は、自動車用アナログ電波時計に関するものであり、特に電波時計において必要とされている指針帰零等のために指針原点及び正時を検出するための車載用アナログ電波時計の指針原点検出装置及び指針原点検出方法に関するものである。
【０００２】
【従来の技術】
一般に、アナログ電波時計においては、電源投入時等に指針の位置を把握するため、指針を全て１２時位置等の原点へ移動させることを行っている。従来、このような指針の移動には、時針及び分針が１２時位置等の原点に達すると輪列の動作から機械式接点を接触させたり、複数の歯車に穴を設けると共にその穴を介して光照射及び受光を行う光貫通型センサを設け、時針及び分針が原点に達したことをセンサ出力から検出することを行っていた。
【０００３】
【発明が解決しようとする課題】
上記従来の指針が全て原点に達したときの指針原点の検出においては、機械式接点や光貫通型センサ等をムーブメントの内部に設けることが必要であった。このため、従来の時計を電波時計に変更する場合、回路部分の変更だけでなく、ムーブメント全体を変更することが必要となり、新しいムーブメントを開発しなければならなかた。
【０００４】
特に、車載用時計の場合、組み込む位置や他の計器類や操作スイッチ類との関係からむやみに仕様を変更することはできず、新しいムーブメントの開発には時間とコストがかかるものであった。
【０００５】
本発明は、上記従来技術の課題に鑑みなされたもので、ムーブメントの基本構成を変更することなく、指針原点の検出を行うことができる車載用アナログ電波時計の指針原点検出装置及び指針原点検出方法を提供するものである。
【０００６】
【課題を解決するための手段】
本発明の車載用アナログ電波時計の指針原点検出装置は、時刻情報を含む電波信号を受信して時針及び分針により時刻を表示する車載用アナログ電波時計において、前記分針の回転に伴って回転し、表面の原点位置に対応する部分を境として一定領域に反射部が設けられた位置検出板と、該位置検出板の反射部の検出及び非検出に応じた信号を出力するセンサと、前記分針の回転数を記憶する記憶手段と、該記憶手段が記憶する回転数から前記時針を原点位置に移動させるために必要な前記分針の回転数を算出する分針回転算出手段と、前記センサが反射部を検出又は非検出したときの信号に応じて前記分針回転算出手段が算出した回転数だけ前記分針を早送りする早送り駆動手段と、前記センサが反射部の検出及び非検出による信号の一定のパターンを検出すると１回転として前記記憶手段に書き込む回転書き込み手段と、前記センサが反射部を検出又は非検出したときの信号により分針が１２回転したことを検出すると前記記憶手段をクリアする回転クリア手段と、を有している。また、この車載用アナログ電波時計の指針原点検出装置における前記記憶手段は、書き込んだ情報を書き換えることが可能なＲＯＭからなる。
【０００７】
また、本発明の車載用アナログ電波時計の指針原点検出方法は、時刻情報を含む電波信号を受信して時針及び分針により時刻を表示する車載用アナログ電波時計において、前記分針の回転数を記憶する記憶手段から記憶データＤを読み取り、読み取った記憶データＤに対してＤ−１２＝Ｘの演算を行い、前記分針を早送り駆動し、前記分針の回転に伴って回転し且つ原点位置に対応する部分を境として一定領域に反射部が設けられた位置検出板における反射部をセンサが検出又は非検出するとその数Ｔに対してＴ＋Ｘ＝０を求め、Ｔ＋Ｘ＝０となるまで早送りし、前記センサからの信号が反射板の検出及び非検出による一定のパターンになると１回転として分針の回転数を前記記憶手段に書き込み、前記センサが反射部の検出又は非検出を示す信号を１２回出力したことを判断し、前記記憶手段の記憶データをクリアするものとなっている。
【０００８】
【発明の実施の形態】
本発明の車載用アナログ電波時計の指針原点検出装置においては、分針の回転に伴って回転する位置検出板と、その回転を電気信号として出力するセンサを設けている。位置検出板の表面には、１２時位置等の原点に対応する部分を境として表面の半分等に反射部が設けられている。センサは、位置検出板の反射部の有無を検出し、その検出と非検出に応じた信号を出力する。
【０００９】
本発明においては、上記センサからの信号をマイコンに取り込むことでその各機能を働かせると共に、記憶手段に分針が回転した数を記憶させて原点の検出を行う。即ち、分針回転算出手段が、記憶手段の記憶データである分針が回転した数から時針を原点に移動させるのに必要な分針を回転させる数を算出すると、算出された回転数に基づいて早送り駆動手段が分針を早送りする。このときにセンサが出力する検出信号から分針の回転を検出し、算出された回転数だけ分針を回転させる。
【００１０】
一方、記憶手段への分針回転数の書き込みは、回転書き込み手段がセンサからの信号が一定のパターンをなしていると判断すると、記憶手段に１回転として書き込んで行く。このように分針が１回転する毎に記憶手段に記憶させて行き、１２回転したと回転クリア手段が判断すると、分針と時針が共に原点に達することになるため記憶手段をクリアする。
【００１１】
上記位置検出板とセンサは、ムーブメントの外側に設けることができ、そのセンサからの信号を入力するだけでマイコンと記憶手段によって指針が原点位置にあることを検出することができる。従って、ムーブメントの基本構成を変更することなく原点検出を行うことができる。
【００１２】
【実施例】
以下、図面に基いて本発明の実施例を説明する。図１は本発明の一実施例に係る車載用アナログ電波時計の指針原点検出装置を示すブロック図である。
【００１３】
２はムーブメント及びその駆動回路を含む計時部である。この計時部は、時刻情報を含む標準電波信号を入力して時刻修正を行うものであり、時針及び分針により時刻を表示するものとなっている。
【００１４】
４は分針の回転に伴って回転する位置検出板である。この位置検出板４は、図２及び図３に示すように、ムーブメント６の裏面側で時針車８及び分針車１０と回転中心が同一となるように配置され、分針車１０の分針軸表面側端部１０ａに取り付けられて分針と共に回転するものとなっている。この位置検出板４の表面には、図４に示すように、１２時から６時に対応する領域に赤外線等を反射する銀色等に印刷された反射部４ａが設けられており、残りの６時から１２時に対応する領域に赤外線等を反射しにくい黒色等に印刷された非反射部４ｂが設けられている。
【００１５】
１２は反射型光センサであり、図２及び図３に示すように、位置検出板４に対向するように配置されている。この光センサ１２は、位置検出板４を覆う遮光板１４の取付部１４ａに外部光が入らないように取り付けられている。
【００１６】
１６はマイコンであり、１８は記憶データの書き換えが可能であると共に電源オフでも記憶を保持するＥＥＰＲＯＭ等からなる記憶手段である。マイコン１６は、記憶手段１８から記憶データを読み出す機能と時針を１２時位置に移動させるために必要な分針の回転数を算出する機能とからなる分針回転算出手段と、分針を早送りする機能と算出した分針を回転させる数だけ分針が回転したか判断する機能とからなる早送り駆動手段と、光センサ１２からの信号が分針の１回転を示す一定のパターンであるか判断する機能と分針が１回転すると記憶手段１８に分針の回転数を書き込む機能とからなる回転書き込み手段と、光センサ１２からの反射部４ａの検出信号が１２回発生したか判断する機能と１２回発生したときに記憶手段１８の記憶データをクリアする機能とからなる回転クリア手段と、を有している。尚、本実施例におけるマイコン１６は、時針と分針が１２時位置に移動されると、記憶する現在時刻又は電波信号の受信により修正された時刻に指針を早送り修正した後、通常運針を行わせる機能からなる時刻修正手段も備えている。
【００１７】
上記マイコン１６はインターフェイス２０を介して計時部２の駆動回路に接続されており、上記のような指針原点検出に関する動作制御を行うものとなっている。
【００１８】
次に、上記指針原点検出装置の動作及び指針原点検出方法を図５に示すタイムチャートと図６に示すフローチャートに基づいて説明する。エンジンキーのオン等により、ステップＳＴ１にて動作がスタートすると、ステップＳＴ２にて記憶手段１８から記憶データが読み出される。ここで読み出される記憶データは、エンジンキーのオフ等により動作が終了するまでに記憶された分針が回転した数を示すデータである。分針が回転した数のデータＤが読み出されると、ステップＳＴ３にてＤ−１２＝Ｘの演算を行い、分針があと何回転すれば時針が１２時位置に達するかを算出する。例えば、分針回転数データＤが「８」であると、Ｘ＝−４となり、時針を１２時位置まで移動するには分針を４回転させなければならないことが算出される。
【００１９】
次に、ステップＳＴ４にて分針を早送り駆動する。そして、ステップＳＴ５にて、このときに光センサ１２が出力する信号から分針が必要な回転数だけ回転したかを判断する。即ち、時針を１２時位置まで移動するのに必要な分針の回転数Ｘに分針が１２時位置を通過するときに光センサ１２が出力する信号の発生回数Ｔを加算し、Ｘ＋Ｔ＝０となるか判断する。例えば、Ｘが「−４」であると、Ｔ＝４となるとき、即ち分針が４回目に１２時位置に達すると次のステップへ進むことになる。
【００２０】
上記光センサ１２は、図５に示すように、分針が１時間に１回転する間に、位置検出板４の反射部４ａを検出するとＨレベルの検出信号を出力し、非反射部４ｂを検出するとＬレベルの非検出信号を出力する。前述したステップＳＴ５においては、光センサ１２の出力信号がＨレベルになるとＸ＋Ｔ＝０となったか判断を行っている。
【００２１】
上記のようにステップＳＴ５にてＸ＋Ｔ＝０と判断すると、ステップＳＴ６にて記憶する現在時刻又は電波信号の受信により修正された時刻を表示するように指針を早送りする時刻修正を行い、修正が終了すると通常運針に切り換える。
【００２２】
次に、ステップＳＴ７にて、光センサ１２の出力信号がＬレベルからＨレベルに移行するパターンであるか判断する。このパターンは、図５に示すように、分針が１回転したときに発生するものであり、このパターンを認識することで分針が１回転したことを検出することができる。このように、分針が１回転したことを検出すると、ステップＳＴ８にて記憶手段１８が記憶する分針が回転した数に１回転加えて書き込みを行う。このような記憶手段１８への書き込みは、分針が１回転する度に行われる。
【００２３】
次に、ステップＳＴ９にて光センサ１２からの検出信号（Ｈレベルの信号）が１２回発生したか判断する。反射部４ａの検出信号であるＨレベルの信号が光センサ１２から１２回出力されると、分針が１２回転したことになり、時針が原点位置に戻ることになる。このように、分針及び時針が１２時位置に戻ると、ステップＳＴ１０にて記憶手段１８の記憶データをクリアし、再び分針の回転毎にその回転した数を更新して行く。
【００２４】
上記のように、光センサ１２からの信号を入力するだけで、分針及び時針を早送りして原点位置に到達させ、その後、分針の回転毎にその回転した数の記憶データを更新しており、これにより常に正確に原点位置を把握して指針を送ることができるものとなっている。
【００２５】
【発明の効果】
本発明によれば、ムーブメントに位置検出板とセンサを取り付け、センサからの信号を入力するだけで指針を原点に送ると共に正時を検出することができ、新しくムーブメントを開発する必要がなくなり、コストを低減することができる。
【００２６】
また、分針が１回転する毎に記憶手段の記憶データを更新しているので、エンジンキーのオン・オフ等による電源のオン・オフが頻繁に行われても、常に最新のデータを記憶し、そのデータに基づいて指針原点を把握することができる。
【図面の簡単な説明】
【図１】本発明の一実施例に係る車載用アナログ電波時計の指針原点検出装置を示すブロック図である。
【図２】図１に示す位置検出板と光センサの配置を示すムーブメントの要部断面図である。
【図３】図２に示すムーブメントの裏面側を示す裏面図である。
【図４】図２に示す位置検出板の正面図である。
【図５】図２に示す光センサの出力信号のタイムチャートである。
【図６】図１に示す車載用アナログ電波時計の指針原点検出装置の動作及び指針原点検出方法を示すフローチャートである。
【符号の説明】
２              計時部
４              位置検出板
４ａ            反射部
４ｂ            非反射部
６              ムーブメント
１０            分針車
１２            光センサ
１６            マイコン
１８            記憶手段
【図１】
0003626923.tif 000002
【図２】
0003626923.tif 000003
【図３】
0003626923.tif 000004
【図４】
0003626923.tif 000005
【図５】
0003626923.tif 000006
【図６】
0003626923.tif 000007